(57)【要約】      （修正有）【課題】主に外部エネルギーの伸縮力を利用し、その伸縮する速度にかかわらず、確実にコイルに誘導電流を発生させる発電方法とその電気エネルギーで点灯する装置を提供する。【解決手段】コイル１２に誘導電流を発生させるマグネット２０に引っ張りバネ２１を接続してそれらをパイプ１４の片側へ固定して固定部を形成し、その固定部のマグネット２０に吸引力を与える移動部のマグネット１８を近づけて、固定部のマグネット２０を瞬時に移動させ、その瞬間的移動により外側のコイル１２に流れる電気エネルギーを取得する。又、固定部のマグネット２０と移動部のマグネット１８の吸引力より、固定部のマグネット２０に接続された引っ張りバネ２１の収縮力が上回った瞬間、固定部のマグネット２０を元の位置へ瞬時に移動させてコイル２１に流れる瞬間的な電気エネルギーを取得する。これらの電気エネルギーを取得する装置とそれで点灯する装置を形成する。【選択図】図１
2014155363.tif 000002
【特許請求の範囲】
【請求項１】
コイルに誘導電流を発生させるマグネットをパイプに入れ、そのパイプの外側にコイルを取り付け、外部より振動等の力を加えパイプ内のマグネットを移動させて、コイルに誘導電流を発生させる振動発電において、コイルに誘導電流を発生させるマグネットに引っ張りバネ、又はゴム等の伸縮性のものを接続してそれらをパイプの片側へ固定して固定部を形成し、一方で同一パイプ内のその固定部のマグネットに吸引力を与えるマグネット又は磁性体部品に取り付けたワイヤーを、他方のパイプ端より外へ出して移動部を形成し、外部エネルギーの変化によりワイヤーを移動させ、移動部のマグネット又は磁性体部品を固定部のマグネットに近づけて、両マグネットの吸引力により固定部のマグネットを瞬時に移動させ、その瞬間的移動により外側のコイルに流れる電気エネルギーを取得する発電方法。
【請求項２】
請求項１記載の振動発電の発電方法において、外部エネルギーの変化により移動部のマグネット又は磁性体部品を、固定部のマグネットより切り離すように徐々に移動し、固定部のマグネットと移動部のマグネット又は磁性体部品の吸引力より、固定部のマグネットに接続された引っ張りバネ、又はゴム等の収縮力が上回った瞬間、固定部のマグネットを元の位置へ瞬時に移動させて外側のコイル内を移動し、コイルに流れる瞬間的な高い電気エネルギーを取得する発電方法。
【請求項３】
コイルに誘導電流を発生させるマグネットに引っ張りバネ、又はゴム等の伸縮性のものを接続してそれらをパイプの片側へ固定して固定部を形成し、一方で同一パイプ内のその固定部のマグネットに吸引力の磁力を与えるマグネット又は磁性体部品に取り付けたワイヤーを、他方のパイプ端より外へ出して移動部を形成し、外部エネルギーの変化によりワイヤーを移動させ、移動部のマグネット又は磁性体部品を固定部のマグネットに近づけて、両マグネットの吸引力により固定部のマグネットを瞬時に移動させ、その瞬間的移動により外側のコイルに流れる電気エネルギーを取得でき、又、固定部のマグネットと移動部のマグネット又は磁性体部品の吸引力より、固定部のマグネットに接続された引っ張りバネ、又はゴム等の収縮力が上回った瞬間、固定部のマグネットを元の位置へ瞬時に移動させて外側のコイル内を移動し、コイルに流れる瞬間的な高い電気エネルギーを取得できる装置とその電気エネルギーで点灯する装置を有し、それらの装置を物体に取り付け、その物体の位置を表示できることを特徴とした物体位置表示器。
【請求項４】
コイルに誘導電流を発生させるマグネットに引っ張りバネ、又はゴム等の伸縮性のものを接続してそれらをパイプの片側へ固定した固定部のマグネットと、それと吸引しあう移動部のマグネット又は磁性体部品の間隔の調整や吸引力の調整、固定部のマグネットの移動速度や移動部のマグネットの停止位置の調整等が行なえるように、パイプの片側、或は両端に調整機能を設けたことを特徴とした請求項３の物体位置表示器。
【発明の詳細な説明】
【技術分野】
【０００１】
本発明は、コイルに誘導電流を発生させるマグネットをパイプに入れ、そのパイプの外側にコイルを取り付け、パイプ内のマグネットを移動してコイルに電気を発生させる振動発電の発電方法とそれを用いた物体位置表示器に関するものである。
【背景技術】
【０００２】
夜間、自転車の後方に対して自転車の存在を知らせて安全を保つ為に、ＬＥＤ（発光ダイオード）を点灯、点滅させる物や人の衣服に照明装置を取り付けて点灯、点滅させる物がある。
【０００３】
自転車のＬＥＤの点滅を電池駆動で行う物は、電池の交換が必要なだけではなく、ＬＥＤを点滅させる為の制御回路が必要になり、又、衣服や建築物等に取り付ける物は電池や家庭用電源を利用し、その消耗により交換しなければならないし、配線をしなければならない。
【０００４】
又、振動発電装置を人の衣服に取り付けてその電力を充電し、その電力により常時装置の駆動を維持する為に用いられる物などがあり、これらのものは、振動方向が定められ、又、コイル内部のマグネットの連続した速い移動が求められ、よってその振動発電装置を取り付ける物体の振動方向と素早い連続振動が求められる。
（特許文献３参照）。
【０００５】
ＬＥＤを内蔵した尾灯で、自転車に取り付けた発電機により点滅させることによって、駆動用電池を不要にした物が提案されている。
【０００６】
１つは前照灯用の発電機を利用して前照灯と尾灯の両方を駆動する物である。
前照灯用の発電機を利用するものでは、発電機から尾灯に電力を直接供給して走行中にのみ点滅させる物である。前照灯用の発電機を利用する物の他の形態は、自転車が停止している時も尾灯が点灯するようにしたものである（特許文献１参照）。その中では、前照灯と尾灯を分離し、発電機からの出力を整流してコンデンサー又は２次電池に充電して尾灯を点灯させ、又その一部を利用して方向指示機等にも利用している。
【０００７】
前照灯用の発電機は、通常、前輪側に設けられているので、自転車の前方から後方まで配線しなければならない為、ハンドルの操作により、又は使用時に配線が引っかかる等の事故によって、配線が切断されるようなことがあるので、長い年月の使用には不向きである。
【０００８】
後輪側に尾灯専用の発電機を設けたものもある。アーチ状の金具に左右２個の発電コイルを取り付け、後輪のリムにクリップ金具を介してマグネットを取り付け、後輪の回転により、マグネットが２個のコイルの間を通過する際の発電を利用しようとする物である。（特許文献２参照）。
【先行技術文献】
【特許文献】
【０００９】
【特許文献１】特開２０００−２５６６８号公報
【特許文献２】特開平１０−６７３５７号公報
【特許文献３】特開２０１２−１５７１８４号公報
【特許文献４】特開２０１２−２４９４４２号公報
【特許文献５】特開昭６４−３９２５６号公報
【発明の概要】
【発明が解決しようとする課題】
【００１０】
コイルに誘導電流を発生させるマグネットとそのマグネットに反発力を与えるマグネットを同一パイプ内に納め、更に圧縮バネを取り付けて小さな振動をより大きく振動させ、その振動発電装置を人が手で振って発電する物や、振動発電装置を物体に取り付け、その物体の振動により発電して電力を得るものがある。（特許文献３、４、５参照）
【００１１】
これらは、常時同一方向からの振動により電力を取得し、高い振動回数や振動スピードが必要とされ、又それより得た電力を主に常時使用する装置への電力供給源として考えられている。又、衣服やペット等に電池式の発光装置を取り付ける照明装置もあるが、電池の消耗等により交換しなければならず、コスト高となる。
【００１２】
したがって、本発明の目的はコイルとマグネットを分離することなく、コイル内部で固定部のマグネットが移動するように形成し、外部移動体の移動が単発的で遅い動きでもマグネットを瞬間的に移動させ、コイルに誘導電流を発生させるようにしたものであり、コイルに誘導電流を発生させる振動発電の固定部のマグネットを、移動部に取り付けた別のマグネットの移動速度にかかわらず、固定部のマグネットを瞬時に移動させ、瞬間的に発生する誘導電流を利用して発光ダイオードを点灯させるようにする。
【００１３】
これにより、この装置を人の衣服や、ペットのリード、杖等に取り付け、それら移動体の変化により、固定部のマグネットを瞬時に移動させて自己発電し、それを取り付けた物体の存在を外部に知らせるようにしたものである。
【課題を解決するための手段】
【００１４】
本発明の物体位置表示器は、コイルに誘導電流を発生させるマグネットとそのマグネットに吸引力を与える移動部のマグネットを同一パイプ内に納め、そのパイプの外側にコイルを取り付けて更に移動部のマグネットを外部エネルギーの変化と組み合わせて発電する機構を構成した装置と、その発電エネルギーで点灯する発光装置等を備えている。
【００１５】
コイルに誘導電流を発生させるマグネットに引っ張りバネを接続してそれらをパイプの片側へ固定して固定部を形成し、その固定部のマグネットに吸引力を与える移動部のマグネットを同一パイプ内に納め、そのパイプの外側にコイルを取り付けて更に移動部のマグネットを近づけることにより、固定部のマグネットを瞬時に移動させ、その瞬間的移動により外側のコイルに誘導電流を発生させる。
【００１６】
又、両マグネットが接近している場合において、移動部のマグネットを徐々に移動させた時、固定部のマグネットと移動部のマグネットの吸引力より、固定部のマグネットに接続された引っ張りバネの収縮力が上回った瞬間、固定部のマグネットは元の位置へ瞬時に戻り、この時外側のコイル内を瞬時に移動する為、再度外側のコイルに逆向きの誘導電流が流れ、この動作は移動部の移動速度にかかわらず瞬時に行なわれ、これらの発生した誘導電流をブリッジダイオードで整流し、終端の発光ダイオードを点灯する。  
【発明の効果】
【００１７】
本発明の物体位置表示器は、同一パイプ内の固定部と移動部に存在する両マグネット間で、固定部にあるマグネットの移動が移動部マグネットの移動速度にかかわらず瞬時に行われる為、外側のコイルに瞬間的な電気エネルギーを発生させることができ、数個の高照度の発光ダイオードを点灯することができる。
【００１８】
それにより、この機構を構成した装置を物体に取り付け、主に外部エネルギーの伸縮力を本装置の移動部に伝達することにより、固定部のマグネットを移動させ、その物体の取り付け位置や存在を知らせることができる。
【００１９】
それ故、この装置にクリップやゴム、おもり等を取り付け、ペット用のリードや人の衣服、杖、船の水面付近等に取り付けた場合、外部エネルギーである張力や伸縮力、波力を利用でき、それらの動きがゆっくりでも確実にその取り付け物体やその付近の存在を外部に知らせることが可能となる。
【００２０】
これにより、夜間の散歩や外出等に利用でき、発光ダイオードを点灯させる為の電池は不要となる。又、コイルの発電波形がパルスなので発光ダイオードの点灯を点滅させる為の制御回路は必要なく、コストを低く抑えることが出来る。
【００２１】
請求項４記載の物体位置表示器は、コイルに誘導電流を発生させるマグネットに引っ張りバネ、又はゴム等の伸縮性のものを接続してそれらをパイプの片側へ固定して固定部を形成し、それと吸引しあう移動部のマグネット又は磁性体部品の間隔の調整や両マグネットの吸引力の調整、固定部のマグネットの移動速度や移動部のマグネットの停止位置等の調整等が行なえるように、パイプの片側、或は両端に調整機能を設けてある。  
これにより、製作過程においての調整が容易に行なわれ、又本装置の使用中においても的確な発電、発光調整を行なうことが出来る。
【図面の簡単な説明】
【００２２】
【図１】本発明の物体位置表示器を取り付けた実施例を示したもので、（Ａ）は物体位置表示器をリードに取り付けた斜視図であり、（Ｂ）はＡ−Ａ部分の断面図である。
【図２】本発明の実施形態を示したもので、（Ａ）は図１（Ｂ）の断面図において、内パイプと蓋をネジ加工した場合の断面図であり、（Ｂ）、（Ｃ）は本発明の実施形態における物体位置表示器の他の実施形態を示したもので、（Ｂ）は固定マグネットと移動マグネットを追加した断面図であり、（Ｃ）は閉塞板を取り付けた断面図である。
【図３】本発明の実施形態における物体位置表示器の他の実施形態を示したもので、（Ａ）は図１（Ｂ）の断面図において、外パイプをネジ加工した場合の断面図であり、（Ｂ）は外パイプ内側と内パイプをネジ加工し、連結した場合の断面図である。
【図４】本発明の実施形態における物体位置表示器の他の実施形態を示したもので、図３（Ａ）の断面図において、ケーブルクリップの代わりにマジックテープ（登録商標）を取り付け、ワイヤーの先にカールコードを取り付けた場合の断面図である。
【図５】本発明の実施形態における物体位置表示器の他の実施形態を示したもので、（Ａ）は物体位置表示器の接続部材をおもりに代え、杖の先端に取り付けた場合の斜視図であり、（Ｂ）はＡ−Ａ部分の断面図である。
【図６】本発明の実施形態における物体位置表示器の他の実施形態を示したもので、図５（Ｂ）の引っ張りバネの代わりに圧縮バネを利用した場合の断面図である。
【図７】本発明の実施形態における物体位置表示器の他の実施形態を示したもので、（Ａ）は吸引マグネットを固定し、移動部に発電マグネットと引っ張りバネ等を接続した場合の断面図であり、（Ｂ）は引っ張りバネを外部に出した場合の断面図である。
【図８】本発明の実施形態における物体位置表示器の他の実施形態を示したもので、物体位置表示器をフロートへ取り付け、水面で利用した場合の断面図である。
【図９】コイルとブリッジダイオード等の配線及び発光ダイオードを示した回路図である。
【図１０】本発明の実施形態における物体位置表示器の他の実施形態を示したもので、（Ａ）は物体位置表示器を固定板に取り付け、吸引マグネットを移動板へ取り付けた斜視図であり、（Ｂ）はＡ−Ａ部分の断面図である。
【発明を実施するための形態】
【００２３】
以下、本発明に係る発電方法と物体位置表示器の好適な実施形態を、図面に従って説明する。
【実施例１】
【００２４】
図１（Ａ）は本発明の物体位置表示器の一実施例であり、同図において物体位置表示器５５にケーブルクリップ２を取り付け、又ワイヤー５の先にクリップ７を取り付け、リードに物体位置表示器５５を取り付けた斜視図であり、（Ｂ）はＡ−Ａ部分の断面図である。
【００２５】
物体位置表示器５５の内部構造は（Ｂ）に示すように、内パイプ１４内に発電マグネット２０があり、接続部材１７と連結されている。その接続部材１７の片側は引っ張りバネ２１と接続され、そのバネの片側はネジ２６とナット２７により、蓋１６に固定され、この蓋は内パイプの片側に密着され、固定部を形成している。
又、内パイプ１４内には吸引マグネット１８があり、これも他の接続部材１７に連結され、その接続部材１７の片側からワイヤー５が繋がれて移動部を形成し、そのワイヤー５は下カバー６を通り、外部へ出てクリップ７に繋がれる。
【００２６】
発電マグネット２０と吸引マグネット１８の間には、クッション１９があり、このクッションはスポンジやゴム、スプリング、エアークッション等のもので形成しても良く、両マグネットが移動してぶつかった時の衝撃を吸収し、又、衝撃音を小さくし、更に発電マグネットと吸引マグネットの磁力による吸引力を調整する為等に取り付けられている。
【００２７】
その為吸引マグネットの磁力が小さく、弱い力で発電マグネットとの切り離しが行なわれる場合、又は吸引マグネットの代わりに磁性体の物を利用して発電マグネットとの吸引力が低下した場合等は取り付けなくても良い。
【００２８】
このクッション１９の材質は出来る限り非磁性体の物を利用し、大きさや収縮力、幅等は引っ張りバネ２１の張力や発電マグネットと吸引マグネットの吸引力、発電マグネットの移動速度、コイルに誘導電流を発生させて終端の発光ダイオードを点灯する個数等を考慮して決められる。
【００２９】
ワイヤー５が外部より引かれ、それに繋がっている接続部材１７が移動し、その移動を停止する為にクッション１５を取り付けた蓋１６が図１（Ｂ）に示すように内パイプ右端にあり、引っ張りバネが取り付けられた他の蓋と同じ様にしっかり内パイプに密着して固定される。
【００３０】
本案による発電マグネット２０と吸引マグネット１８の極性は、互いに吸引しあう極性にしてあり又、ネオジウム磁石を用いている為その磁力は非常に強く、パイプ内で２つの間隔を３０〜４０ミリ程度離しても、両マグネットは吸引しあう。
その為図１（Ｂ）において、発電マグネットが引っ張りバネにより左側へ移動し、又、吸引マグネットを引き離してクッション１５に接続部材１７が当たるまで移動しても、ワイヤー５を緩めると、両マグネットは吸引しあい、図１（Ｂ）の位置でクッション１９を挟んで近づいている。
【００３１】
内パイプ１４の外側にはコイル１２があり、コイルのボビン１３を接着剤等で内パイプと外パイプ４に固定する。コイルより出た線は、電線１０により、ブリッジダイオード１１、抵抗９を経て発光ダイオード３と発光ダイオードに並列に接続されたソケット３１へ接続され、図９の回路図のように示される。これにより発電マグネットは内パイプの内部を自由に移動でき、同時にコイル内部を移動できるようになる。
このコイル１２は図１（Ｂ）に示すようにボビン１３にポリエステル樹脂等で被われた銅線又はエナメル線等を巻いて形成し、外パイプ４と接着剤等で固定される。
外パイプ４には、発光ダイオード３やケーブルクリップ２、ソケット３１がネジ２２や接着剤等で取り付けられ、片側には上カバー１が取り付けられ、他方は下カバー６が各々接着剤等で固定される。
【００３２】
接続部材１７と発電マグネット２０及び、他の接続部材１７と吸引マグネット１８の接続方法は互いにネジ加工、又は接着剤等で接続し、更に収縮チューブ等の保護カバーで被い連結しても良く、各々どちらか一方とクッション１９を接続しても良く、或は両マグネットに引っ張りバネ２１やワイヤー５を直接取り付けられるようにして接続部材を省いてもよく、更にこれらの周りに動きを良くする潤滑剤等と塗布しても良い。又、ワイヤー５の代わりにチェーンや紐、伸縮性のゴム等、外部エネルギーの変化を移動部の吸引マグネットに伝達できる物を使用しても良い。
【００３３】
接続部材や蓋、ボビン、内パイプ、外パイプ、上下カバー等の材質は出来る限り発電マグネットや吸引マグネットに影響を与えないアルミやプラスチック、ガラス、ゴム等の非磁性体の物を用い、又、ボビンレスコイルを利用して、直接内パイプ１４に取り付けても良く、それにより軽量化と簡略化がはかれる。
【００３４】
これにより、本発明の発電方法を説明すると、内パイプ１４の片側には蓋が取り付けられ、その蓋より引っ張りバネ、接続部材、発電マグネットがそれぞれ連結されて固定部が形成されており、クッション１９を間に挟んで吸引マグネットが吸引されて近づいている。この吸引マグネットには連結された接続部材とワーヤーが繋がれて移動部を形成し、ワイヤーが外部へと出ている。
【００３５】
外パイプ４にはネジ２２とナット２３により、ケーブルクリップ２をしっかり固定し、そのケーブルクリップ２を任意の物体に絡ませ、物体位置表示器５５をその物体に固定する。吸引マグネットに連結された接続部材の衝撃や音を吸収する為のクッション１５が蓋に取り付けられ、その蓋が内パイプ１４の片側へ密着して固定されており、吸引マグネットの移動をこのクッションで停止する。
【００３６】
それにより、外部よりワイヤー５を外方向へ引っ張ると、それに連結された吸引マグネットも移動し、更にクッション１９を挟んで発電マグネットもコイル内を移動し引っ張りバネ２１は伸びていく。更にワイヤーを引っ張っていき吸引マグネットと発電マグネットの磁力による吸引力より引っ張りバネの引っ張り強度が勝った時、発電マグネットは元の位置へ瞬時に引き戻される。この瞬間コイルには誘導電流が流れ終端の発光ダイオードが点灯する。この動作は、ワイヤーの動きが遅くても瞬時に行なわれる。
【００３７】
ワイヤー側の接続部材がクッション１５に当たり、吸引マグネットの移動が停止し、その後外部よりの引張りが無くなりワイヤーが緩むと、元の位置にある発電マグネットの吸引力により、吸引マグネットが引き戻され、これと同時に発電マグネットも再度吸引マグネットの方向へ瞬時に移動しコイル内を移動する。
この瞬間コイルには前回と逆向きの誘導電流が流れ、ブリッジダイオード１１の整流により終端の発光ダイオードを再点灯する。
【００３８】
本案においては、主に発電マグネットの磁力を吸引マグネットの磁力に対し大きくして考えているが、クッション１９の厚みや引っ張りバネ２１の張力等を変化させ、両マグネットの切り離しがスムーズに行われる状態であれば、吸引マグネットの磁力を発電マグネットの磁力と同等、或はより大きくして、更にコイル等の位置を変化させると、吸引マグネットの移動により発電することも可能である。
【００３９】
次に、上記本発明の発電方法を用いた物体位置表示器の動作を図面に従って説明する。
図１（Ａ）はペットの散歩時に使用するリード８へ物体位置表示器５５取り付けた場合で、図１（Ｂ）に示すように物体位置表示器にはケーブルクリップ２がネジ２２とナット２３を利用してしっかり固定されており、一方でワイヤー５の先にクリップ７を取り付け、ケーブルクリップ２と一緒にリード８へ取り付ける。
【００４０】
物体位置表示器とクリップのリードへの取り付けは、物体位置表示器をケーブルクリップでリードへ巻きつけて固定した後、リードを直線にした状態でワイヤーを引っ張り、接続部材１７がクッション１５に当たり、吸引マグネットの移動を停止させてクリップをリードへ取り付ける。
その後引っ張りバネ２１の収縮によりリードを引き寄せリードが曲線になるようし、その状態を示したのが図１の図である。
【００４１】
物体位置表示器５５の内部構造は前延の発電方法で説明した内容で一部省略するが、この状態でのリードの片側をペットの首輪等に取り付け、もう片方を人が持って散歩等に出かけた場合、ペットと人の距離が開いてリードが直線方向に引っ張られると、クリップの先のワーヤー、吸引マグネット、発電マグネットが引っ張られ、引っ張りバネ２１が伸び、発電マグネット２０がコイル内を移動する。
【００４２】
更にリードが伸びてワイヤーを引っ張っていき、吸引マグネットと発電マグネットの磁力による吸引力より引っ張りバネの引っ張り強度が勝った時、発電マグネットは元の位置へ瞬時に引き戻される。この瞬間コイルには誘導電流が流れ終端の発光ダイオードが点灯する。この動作は、人とペットの距離がゆっくり離れても瞬時に行なわれ、これによりペットと人の存在を外部に知らせることができる。
【００４３】
その後、人とペットの距離が狭くなり、リードが緩むと、元の位置にある発電マグネットの吸引力により、吸引マグネットが引き戻され、これと同時に発電マグネットも再度吸引マグネットの方向へ瞬時に移動しコイル内を移動する。
この瞬間コイルには前回と逆向きの誘導電流が流れ、ブリッジダイオードの整流により終端の発光ダイオードを再点灯し、これらの配線及び点灯過程は図９に示される。
【００４４】
図１（Ｂ）では、内パイプ１４の内部に挿入する発電マグネットの形状は円筒形であるが、球状にしても良く、内パイプの形状を多角にし、挿入する発電マグネットを多角柱にしてもよい。又、上カバー１等にマグネット又は磁性体部品を取り付けてそれを移動可能にし、発電マグネットに近づけその磁力により移動を停止させ、発電マグネットをＯＮ、ＯＦＦ制御しても良い。
【００４５】
コイル１２に発生する電力は、主に発電マグネット２０の磁力と、コイル内を通過するスピード、及びコイルの巻き線数等によるが、発電マグネットの磁力と、コイルの巻き線数は通常のリードの緩み等で発光ダイオード３を点灯させることができる値を決めればよい為、抵抗９を省いても良く、発光ダイオードの数を複数にしても良い。更に図４のようにソケット３１にプラグ４４を差し込み、電線１０を長くして繋いだ発光ダイオードを、ペットや人の衣服にクリップ等で取り付けて点灯しても良い。
【００４６】
前延では、物体位置表示器５５の外パイプにケーブルクリップ２をネジ２２とナット２３で締め付けて動かないように固定しているが、ケーブルクリップがネジを支点に自由に回転できるようにネジ２２と外パイプ４の間に隙間を設け、ナット２３で固定しても良い。又、ケーブルクリップの代わりに、ゴムバンドやクリップ、紐等で固定しても良い。
これにより、物体位置表示器はワイヤーの引っ張られた先に対し、内部の発電マグネットが常に張力方向へスムーズに移動できるようになる。
【００４７】
図１（Ｂ）では、発電マグネット２０の移動に引っ張りバネ２１を利用しているが、これの代わりに伸縮性のゴム等を利用しても良く、発電マグネットの磁力が大きい物を利用した場合等、吸引マグネット１８の代わりに磁性体部品を利用し、接続部材１７と接続してもよく、或は接続部材を磁性体部品にして吸引マグネットを省いても良い。
【００４８】
本発明では発電マグネットが、引っ張りバネの伸縮力と吸引マグネットの吸引力の開放により瞬時に内パイプ１４内を正確に移動でき、その結果外側のコイル１２内を瞬時に移動してコイルに瞬間的な誘導電流を発生させる方法により終端の発光ダイオードを点灯し、又、発電マグネットとコイルの移動開始位置、移動時の軌道が常に同じ状態になり、発電マグネットとコイルの間隔を狭くしたことで発電効率を高め、確実に安定した電力を発生することができる。
【００４９】
これにより、ケーブルクリップ２とクリップ７をリード８に取り付け、ペットの散歩等に利用すると、リードの伸縮より発光ダイオードを点灯することができ、又、図４のようにプラグを差込み、その先の発光ダイオードを別のクリップ等で人の衣服等に取り付けると、別な角度より人やペットの存在位置を外部に知らせることができる。
【実施例２】
【００５０】
次に、両マグネットの移動開始位置や停止位置が容易に調整できるようにした実施例を図面に従って説明する。
図２（Ａ）は図１（Ｂ）の物体位置表示器５５の内部にある内パイプ１４部分の断面図を示しており、図１（Ｂ）の内パイプ両端に密着してある蓋１６の代わりに、ネジ蓋２８をネジ加工した内パイプ３８に取り付け、ネジ蓋２８が移動できるようにしてある。
【００５１】
これにより、両マグネットの移動開始位置や吸引マグネットの停止位置が容易に調整できるようなり、又コイルに対しての発電開始タイミングの変更等も容易に行なえるようになる。
【００５２】
図２（Ａ）では、両端をネジ加工した内パイプ３８の両端に、同じくネジ加工したネジ蓋２８が取り付けられており、これらの移動により引っ張りバネの強度及びコイル１２に対しての発電位置、吸引マグネットの停止位置等を簡単に調整できる。
【００５３】
又、実施例１同様、コイルに対しての位置の変化により、吸引マグネットの移動により発電を行なうことも可能になり、変更や調整を容易に行なうことが出来るようになる。
その他の動作や、取り付け部品、図面の説明内容は実施例１と殆ど同様なので省略する。
【実施例３】
【００５４】
次に、振動によっても発電できることを追加した実施例について図面に従って説明する。
図２（Ｂ）は実施例２同様、図１（Ｂ）の物体位置表示器５５の内部にある内パイプ１４部分の断面図を示しており、図１（Ｂ）の内パイプ両端に密着してある蓋１６の代わりにネジ蓋２８を取り付け、ネジ蓋が移動できるようにしてあり、ネジ蓋同様両端をネジ加工し、パイプを長くした内パイプ４１の左部分にストッパー５２を設け、固定マグネット５０と移動マグネット５１を挿入し、それぞれネジ蓋２８と引っ張りバネ２１に固定している。
【００５５】
固定マグネットと移動マグネットは互いに反発しあう極性にしており、両マグネットの間隔は反発しあう磁力の強さと、ネジ蓋２８により調整され、移動マグネットに連結された発電マグネット２０の位置を変化させることができる。
【００５６】
それによりコイル１２に対する発電マグネットと吸引マグネット１８の位置も移動マグネットの位置により変化することになり、図２（Ｂ）の場合の物体位置表示器５５に外部より左右に振動を与えた場合、移動マグネットが固定マグネットに対し左右に振動し、右側の発電マグネットも左右に振動する。
振動する度合いが強ければ発電マグネットがコイル内を左右に移動し、コイルには電流が発生する。
【００５７】
図２（Ｂ）においてワイヤーを引っ張ると、それと連動して両マグネット、引っ張りバネが移動し、その先の移動マグネット５１も移動し、ストッパー５２により移動マグネットは停止する。更にワイヤーを引っ張ると引っ張りバネが伸び始め、その後の動作は実施例１と殆ど同様なので省略する。
【００５８】
これにより、本案は実施例１の発電方法に振動発電を追加した形となり、ワイヤー５の移動だけでなく、物体位置表示器が外部より強い左右の振動を得た場合も発電できる利点が得られる。その他の動作や、取り付け部品、図面の説明内容は実施例１又は２と殆ど同様なので省略する。
【実施例４】
【００５９】
次に、内パイプを２つに分割し、切断面に各々閉塞板２４を取り付け、発電マグネット２０と吸引マグネット１８をそれぞれのパイプ内に納めた場合の動作について図面に従って説明する。
図２（Ｃ）は図１（Ｂ）の物体位置表示器５５の内部にある内パイプ１４部分の断面図を主に示しており、内パイプを分割し、切断面に閉塞板２４を接着剤等で貼り付けて固定したものである。
【００６０】
分割した左側の左内パイプ３５内には、実施例１で取り付つけた蓋１６や引っ張りバネ２１、接続部材１７発電マグネット２０が連結されて取り付けられ、更に発電マグネット２０と閉塞板の間にはクッション２５が接している。
一方で分割した右側の右内パイプ３６には、実施例１で取り付つけた蓋１６やクッション１５が取り付けられ、内部にはワイヤー５と繋がる接続部材１７、吸引マグネットが連結され、更に吸引マグネットと閉塞板の間にはクッション２５が接している。
【００６１】
通常状態では発電マグネットと吸引マグネットは吸引しあい、閉塞板付近に存在し、引っ張りバネは伸びており、外側のコイル１２は、ボビン１３内部と左内パイプ３５の外側に、又ボビン外部と外パイプ４の内側に接着剤等を塗布し、両パイプ間に固定されている。
【００６２】
クッション２５はプラスチックやスポンジ、ゴム、スプリング、エアークッション等のもので形成しても良く、発電マグネット又は吸引マグネットが移動してぶつかった時の衝撃を吸収し、又、衝撃音を小さくし、更に発電マグネットと吸引マグネットの磁力による吸引力やコイルに対する停止位置等を調整する為等に取り付けられている。
その為吸引マグネットの磁力が小さく、弱い力で発電マグネットとの切り離しが行なわれる場合、又は吸引マグネットの代わりに磁性体の物を利用して発電マグネットとの吸引力が低下した場合等、クッション２５は取り付けなくても良い。
【００６３】
このクッション１９の材質は出来る限り非磁性体の物を利用し、大きさや収縮力、幅、等は引っ張りバネ２１の張力や、発電マグネットと吸引マグネットの吸引力、コイルに誘導電流を発生させて終端の発光ダイオードを点灯させる数等により決められる。
同様に閉塞板２４の材質も出来る限り非磁性体の物を利用し、図２（Ｃ）では、両パイプを２つの閉塞板２４で分離しているが、１つの閉塞板で両パイプ内に取り付けて接続しても良く、上記クッション材質で形成し、幅を広げてクッション２５を省いても良い。
【００６４】
本実施例において、閉塞板２４を両パイプ端に設けてワイヤー５が緩んでいた場合、発電マグネット２０と吸引マグネット１８が吸引し、クッション２５を挟んで閉塞板付近に存在するように引っ張りバネ２１の引っ張り強度や両マグネットの吸引力、クッション２５の弾力や幅等を調整しておくと、ワイヤーが外部より引かれ、吸引マグネットが右へ移動し始めても左内パイプ内の発電マグネットは閉塞板により移動しない。
【００６５】
更に接続部材１７がクッション１５に当たるまで右へ移動する途中、両マグネットの吸引力より引っ張りバネの引っ張り強度が勝った時、発電マグネットは瞬時に左へ引っ張られてコイル内を移動する。
この瞬間コイルには誘導電流が流れ終端の発光ダイオードが点灯する。この動作は、ワイヤーの動きが遅くても瞬時に行なわれる。
【００６６】
接続部材１７がクッション１５付近で移動が停止し、その後ワイヤーが緩むと、発電マグネットの吸引力により吸引マグネットは左へ移動し始め、クッション２５が閉塞板２４に当たるまで移動し停止する。この時、同様に発電マグネットも右へ移動し始め、加速してクッション２５が閉塞板２４に当たるまで右へ瞬時に移動して停止する。
【００６７】
それによりコイル内を瞬時に移動する為、コイルには瞬間的に上記とは逆の誘導電流が流れ、ブリッジダイオード１１の整流により終端の発光ダイオードが再点灯する。
これにより、本実施例では発電マグネットの停止位置、移行開始位置が固定され、パイプの外側に取り付けるコイルの位置を設定することが容易に行なわれ、又、両マグネット間に存在するクッション２５の大きさや幅の設定も容易に行なうことができようになる。
その他の動作や、取り付け部品、図面の説明内容は実施例１と殆ど同様なので省略する。
【実施例５】
【００６８】
次に、外パイプの両端をネジ加工し、ネジ蓋５３を取り付けた場合の動作について図面に従って説明する。
図３（Ａ）は図１（Ｂ）の物体位置表示器５５部分の断面図を示しており、上カバー１と下カバー６を取り外し、パイプの両端をネジ加工した外パイプ２９の両端にネジ蓋５３を取り付け、ネジ蓋が移動できるようにした断面図である。
又、内パイプの両端の蓋１６も取り外し、引っ張りバネ２１をネジ２６とナット２７で片方のネジ蓋５３へ取り付け固定し、他方はクッション１５をネジ蓋５３に接着剤等で固定し、実施例２、３、４同様コイルに対しての両マグネットの移動開始位置や停止位置を調整できるようにしてある。
【００６９】
発電方法や、その他の動作、取り付け部品、図面の説明内容等は実施例１、２と殆ど同様なので省略するが、本実施例では外パイプに両マグネットの位置調整用のネジ蓋が取り付けられることにより、パイプ内の部品の交換やコイルに対しての両マグネットの最適な発電位置等を常に簡単に行なうことが出来るようになる。
【実施例６】
【００７０】
次に、外パイプ４の形状を変化し、右端内部をネジ加工し、実施例４で使用した内パイプを取り付けた場合の動作について図面に従って説明する。
図３（Ｂ）は図１（Ｂ）の物体位置表示器５５の内部にある内パイプ１４部分の断面図を主に示しており、内パイプ１４を分割して閉塞板２４を取り付け、右内パイプの外側をネジ加工した右内パイプ３３と外パイプ４とを連結し、右内パイプ３３を回転移動できるようにしてある。又、右内パイプ３３右端にネジ蓋２８を取り付け、更にこの蓋にクッション１５を接着剤等で接着し固定してあり、コイル１２は実施例４同様、左内パイプと外パイプ間に固定される。
【００７１】
外側をネジ加工した右内パイプを回転すると、このパイプは外パイプ４の右側を左右に移動でき、発電マグネット２０と吸引マグネット１８の吸引力を調整でき、両クッション２５の大きさや、幅等を変化して調整する必要が無く、ワイヤーの引っ張り強度なども簡単に調整できる。更にネジ蓋２８を利用している為、接続部材１７の停止位置等も実施例４よりも更に簡単に調整できるようになる。
その他の動作や、取り付け部品、図面の説明内容は実施例４と殆ど同様なので省略する。
【実施例７】
【００７２】
次に、実施例１の外パイプの両端をネジ加工し、ネジ蓋５３を取り付け、ケーブルクリップ２の代わりにマジックテープを取り付け、更にワイヤーとクリップの間にカールコードを取り付けた場合の動作について図面に従って説明する。
図４は図１（Ｂ）の物体位置表示器５５部分の断面図を示しており、実施例５で利用した外パイプ２９を使用し、そのパイプ２９の両端にネジ蓋５３を取り付け、ケーブルクリップ２の代わりにオスマジックテープ４７とメスマジックテープ４８をネジ２２とナット２３で外パイプに取り付け、ワイヤー５の先にカールコード５４を取り付けた断面図である。
【００７３】
又、実施例５同様内パイプの両端の蓋１６も取り外し、引っ張りバネ２１をネジ２６とナット２７で片方のネジ蓋５３へ取り付け固定し、他方はクッション１５をネジ蓋５３に接着剤等で固定し、コイルに対しての両マグネットの移動開始位置や停止位置を調整できるようにしてある。
【００７４】
オスマジックテープとメスマジックテープをネジ２２とナット２３で外パイプ２９に取り付け、この取り付け方は、ネジ２２を支点に両マジックテープが自由に回転できるように、ネジと外パイプ間に隙間を設け、ナットで固定する。
【００７５】
ワイヤーの先にカールコードを取り付け、その先にクリップ７を取り付ける。
このカールコードの動作は接続部材１７が移動してクッション１５に当たり、吸引マグネットの移動が停止した状態で更に外部よりクリップを引っ張った場合、カールコードが伸び始める伸縮力に調整しておくと、外部よりクリップを引っ張った時、カールコードの伸縮はそのままの状態でワイヤー５を引っ張り、次いで連結された吸引マグネット１８及び吸引されている発電マグネット２０を引き、更に連結されている引っ張りバネ２１を引っ張る。
【００７６】
更にクリップを引っ張り続け、吸引マグネットと発電マグネットの吸引力より引っ張りバネの収縮力が勝った時、発電マグネットは瞬時に元の位置へ戻される。実施例１同様、この瞬間コイルには誘導電流が流れ終端の発光ダイオードが点灯する。
吸引マグネットは接続部材がクッションに当たり停止し、この状況でクリップを更に引っ張るとカールコードが伸び始める。
【００７７】
その後外部よりの引張りが無くなり、カールコードが収縮してワイヤーが緩むと、元の位置にある発電マグネットの吸引力により、吸引マグネットが引き戻され、これと同時に発電マグネットも再度吸引マグネットの方向へ移動しコイル内を瞬時に移動する。
この瞬間コイルには前回と逆向きの誘導電流が流れ、ブリッジダイオード１１の整流により終端の発光ダイオードを再点灯する。
【００７８】
本実施例のその他の部品の動作や説明内容等は実施例１と殆ど同様であるが、ワイヤーとクリップ間に伸縮するカールコード５４を挿入してあり、吸引マグネット１８側の接続部材がクッション１５へ当たり移動が停止後、更にクリップを引っ張った際にカールコードが伸び始める。
【００７９】
これにより、物体位置表示器５５を表示物体へ取り付け、クリップを移動物体へ取り付け場合、実施例１では物体位置表示器と移動物体の移動距離は接続部材１７とクッション１５間であったが、移動体が移動しクリップを更に引っ張ると、カールコードが伸び始める為、移動距離が増えることになる。
【００８０】
よって、本装置のオスマジックテープ４７とメスマジックテープ４８を人の手や手首に巻いて本装置を固定し、一方のクリップを衣服に取り付け散歩等へ出かけた場合、衣服と手の振り加減での移動距離とカールコードの伸び加減、及び発光ダイオードの点灯確認をしながらクリップの取り付け位置を調整すると、夜間の散歩時に発光ダイオード３を点灯させ人の存在を知らせることができる。
【００８１】
又、マジックテープの取り付けは、ネジ２２を支点に回転する為、手や腕の振りの回転に対応し、常にワイヤーの引っ張りをスムーズに行なえる状態を作ることができる。
図４では伸縮性のカールコードを利用して距離の調整をしているが、伸縮性のバネやゴム等を使用しても良く、マジックテープの代わりに、ゴムバンドやクリップ、紐等で手や腕、人の腰等へ取り付けても良く、図４のようにソケット３１にプラグ４４を差込み、先端の発光ダイオード３をマジックテープやクリップ等で人の肩や腰等に取り付けると、より一層人の存在を外部に知らせることができる。
【実施例８】
【００８２】
次に、物体位置表示器５５を杖に取り付け場合の動作について図面に従って説明する。
図５（Ａ）は図１（Ｂ）の物体位置表示器５５の接続部材部分をおもりに代え、杖３０の先端に取り付けた場合の斜視図であり、（Ｂ）はＡ−Ａ部分の断面図である。
この物体位置表示器５５の内部構造は、実施例１の物体位置表示器にケーブルクリップ２を追加し、吸引マグネット１８に接続された接続部材１７の代わりにおもり３４を取り付けてある。
【００８３】
本装置の使用方法は図５（Ｂ）のように、本装置を杖の先に２個のケーブルクリップ２で固定し、その位置は最初に杖３０の先よりおもり３４が地面３２に接触し、杖を下ろすと地面がおもりを持ち上げるような位置に本装置を固定する。
【００８４】
杖を下ろしておもりが持ち上がり、おもりに連結された吸引マグネットが上昇すると、その吸引力により発電マグネット２０が吸引され、瞬時に引っ張りバネ２１を引っ張ってコイル内を移動する。この瞬間コイル１２には誘導電流が流れ終端の発光ダイオードが点灯する。
【００８５】
吸引マグネットの移動が停止し、その後杖を持ち上げると、吸引マグネットとおもりの重さでこの連結部品は下方へ移動する。
吸引マグネットとおもりの重さが、発電マグネットと吸引マグネットの吸引力と、引っ張りバネの収縮力に勝った場合、発電マグネットは引っ張りバネに引かれて元の位置へ瞬時に戻り、コイル内を瞬時に移動し、この瞬間コイルには前回と逆向きの誘導電流が流れ、ブリッジダイオード１１の整流により終端の発光ダイオードを再点灯する。
【００８６】
この動作は、杖の持ち上げがゆっくりでも瞬間的に行なわれ、図４のようにソケット３１にプラグ４４を差込み、先端の発光ダイオード３をマジックテープ等で杖の上部や人の手等に取り付けると、より一層人の存在を外部に知らせることができる。
【００８７】
その他の動作や、取り付け部品、図面の説明内容等は実施例１と殆ど同様なので省略するが、おもりやクッション１９等の材質は出来る限り発電マグネットや吸引マグネットに影響を与えないアルミやプラスチック、ガラス、ゴム等の非磁性体の物を用い、杖への取り付けにケーブルクリップでなく、上記位置条件をなすことができる物であればマジックテープや伸縮性のゴム等で取り付けても良い。
【実施例９】
【００８８】
次に、実施例８の物体位置表示器５５の引っ張りバネ２１の代わりに圧縮バネ３７を使用したときの動作について図面に従って説明する。
図６（Ａ）は図５（Ｂ）の物体位置表示器の引っ張りバネ２１を圧縮バネ３７に変え、吸引マグネット１８と圧縮バネ間に閉塞板２４を設けた断面図である。
【００８９】
動作は杖３０を下ろし、おもり３４の上の吸引マグネット１８が上昇して吸引マグネットが閉塞板２４に近づくと、通常圧縮バネの反発力により蓋１６のクッション１５付近にある発電マグネット２０を吸引し、圧縮バネを収縮させて発電マグネットは瞬時にコイル１２内を移動し、この瞬間コイルには誘導電流が流れ終端の発光ダイオードが点灯する。
【００９０】
更に発電マグネットの移動が停止してその後杖を持ち上げると、吸引マグネットとおもりの重さでこの連結部品は下方へ移動する。
吸引マグネットとおもりの重さと圧縮バネの反発力が、発電マグネットと吸引マグネットの吸引力より勝り、吸引マグネットが下方へ下がった場合、発電マグネットは圧縮バネに反発され元の位置へ瞬時に戻り、コイル内を瞬時に移動し、この瞬間コイルには前回と逆向きの誘導電流が流れ、ブリッジダイオード１１の整流により終端の発光ダイオードを再点灯する。
【００９１】
この動作を確実に行う為には、圧縮バネの反発力と両マグネットの吸引力及び閉塞板の厚みや間隔、おもりの重さや長さ、コイルの取り付け位置等変化し調整する必要があり、実施例２〜６で説明したような部品の取り付け位置を調整できる機構を設けても良い。
その他の動作や、取り付け部品、図面の説明内容等は実施例４や８と殆ど同様なので省略する。
【実施例１０】
【００９２】
次に、実施例２で説明した動作の中で、発電マグネット２０を移動部のワイヤー５側に取り付け、吸引マグネット１８を固定部に固定して動作させた場合の実施例について図面に従って説明する。
図７（Ａ）は実施例２の図２（Ａ）の場合の一部部品の取り付けを逆にした例で、移動するワイヤー５に接続部材４０を取り付け、その接続部材に引っ張りバネ２１、接続部材１７、発電マグネット２０を連結してある。一方で、吸引マグネット１８をネジ蓋２８にネジ２６、又は接着剤等で固定する。
【００９３】
その他の動作や、取り付け部品、図面の説明内容は実施例２で説明したものと殆ど同様なので省略するが、ワイヤー５が緩んでいる状態の場合、内パイプ３８内の発電マグネット２０は吸引マグネット１８の吸引力によりクッション１９を挟んでネジ蓋２８に固定されている吸引マグネット１８付近にある。
【００９４】
外部よりワイヤーを引っ張ると、それと連結された接続部材４０と引っ張りバネ２１、接続部材１７、発電マグネット２０が図７（Ａ）の下方へ移動し始め、更にワイヤーを引っ張り、発電マグネットと吸引マグネットの吸引力より引っ張りバネとワイヤーの引っ張り強度が勝った場合、発電マグネットは瞬時に引っ張りバネ方向へ移動し、この瞬間コイル１２には誘導電流が流れ、発光ダイオードを点灯する。
【００９５】
ワイヤーを引っ張って接続部材４０がクッション１５に当たり、発電マグネットの移動が停止した後ワイヤーが緩むと、吸引マグネットの吸引力により発電マグネットは上方へ移動する。
この移動スピードは吸引マグネットに近づくとより加速され、再度瞬時にコイル内を移動することになり、この瞬間コイルには前回と逆向きの誘導電流が流れ、ブリッジダイオード１１の整流により終端の発光ダイオードを再点灯する。
【００９６】
この動作を確実に行う為には、引っ張りバネの引っ張り強度と両マグネットの吸引力及びネジ蓋の位置、クッションの厚み、コイルの取り付け位置等変化し調整する。
又、吸引マグネットを鉄等の磁性体金属に代えて使用しても良く、接続部材４０は出来る限り発電マグネットの移動に影響を与えない非磁性体の物を使用する。その他の動作や、取り付け部品、図面の説明内容等は実施例２と殆ど同様なので省略する。
【００９７】
図７（Ｂ）は上記同様に発電マグネット等を移動部に設けたもので、接続部材４０を取り除いた物で接続部材１７にワイヤー５を取り付け、外部に引っ張りバネ２１を出した実施例で動作は図７（Ａ）の場合と殆ど同じである。
【００９８】
外に引っ張りバネ２１を設けることにより、接続部材１７がクッション１５に当たり、発電マグネットの停止後外部ワイヤーを更に引っ張ると、引っ張りバネが伸びるので、前延べのカールコードや伸縮性のゴム等をこの先に利用して使用しても良い。
【実施例１１】
【００９９】
次に、物体位置表示器５５をフロート４３へ取り付け、水面に浮かべそれを取り付けた物体の位置を表示させた場合の実施例について図面に従って説明する。
図８は実施例１の物体位置表示器５５をフロート４３に取り付け、吸引マグネット１８に接した接続部材の代わりにフロート３９を接着剤等で貼り合わせ連結してある。
発光ダイオード３は物体位置表示器に設けず、ソケット３１に繋がれたプラグ４４により電線１０を伸ばしフロート上面に移動させてある。
【０１００】
フロート４３の浮力とフロート３９の浮力には差を設け、フロート３９よりフロート４３の浮力を大きくする。これにより、水面に波が立った場合、フロート３９はその波の振動にあわせ小刻みに上下に移動するが、浮力の大きいフロート４３はフロート３９の上下振動より少ない回数で振動し、両フロート間で振動差が生まれる。
【０１０１】
図８の場合、波によりフロート３９が持ち上がり、それと連結する吸引マグネット１８も上に移動し、この時上部の引っ張りバネ２１に取り付けられた発電マグネット２０は吸引マグネットの吸引力により、引っ張りバネ２１を引っ張って下方へ移動し、クッション１９を挟んでコイル１２内を瞬時に移動する。この瞬間コイルには誘導電流が流れ終端の発光ダイオードが点灯する。
【０１０２】
波が通り過ぎると、吸引マグネットとフロート３９の重さでこの連結部品は下方へ移動し、吸引マグネットとフロート３９の重さが、発電マグネットと吸引マグネットの吸引力と、引っ張りバネの収縮力に勝った場合、発電マグネットは引っ張りバネに引かれて元の位置へ瞬時に戻り、コイル内を瞬時に移動し、この瞬間コイルには前回と逆向きの誘導電流が流れ、ブリッジダイオード１１の整流により終端の発光ダイオードを再点灯する。
【０１０３】
この動作は、波の移動がゆっくりでも瞬間的に行なわれ、フロート４３にフック４５を取り付け、更にチェーン４６等で物体に本装置を取り付けると、接続された物体の位置を表示でき、又、プラグ４４の先端の発光ダイオード３をフロート４３の側面や別の物体へ取り付けると、波の振動でフロート側面や別の物体の存在位置を外部に知らせることができる。その他の動作や、取り付け部品、図面の説明内容等は実施例１と殆ど同様なので省略する。
【実施例１２】
【０１０４】
次に、物体位置表示器５５を固定板５７へ取り付け、吸引マグネット１８を移動板５６へ取り付けた場合の実施例について図面に従って説明する。
図１０は実施例１の物体位置表示器５５の吸引マグネット１８部分を移動板５６へ移動し、図（Ｂ）はＡ−Ａ部分の断面図である。
【０１０５】
実施例１〜１１までは、発電マグネット２０と吸引マグネット１８を直線状態に配置し、吸引マグネットを直線方向に移動していた。
本案においては、図１０（Ａ）、（Ｂ）に示すように、図１の（Ｂ）の物体位置表示器５５より吸引マグネットを切り離して移動板５６へ取り付け、又、吸引マグネットを取り除いた物体位置表示器５５を固定板５７へ取り付けてあり、固定板に対し移動板を回転移動できる様にしてある。
【０１０６】
図１０（Ａ）のように、移動板５６に取り付けた、吸引マグネット１８を物体位置表示器５５の発電マグネット２０の移動方向に対し、交差する方向へ移動して両マグネットを近づけると、両マグネットは吸引しあい、引っ張りバネ２１の収縮力より、両マグネットの吸引力が勝った場合、発電マグネットが引っ張りバネ２１を引っ張ってクッション１５にあたるまで瞬時に移動して停止する。
【０１０７】
この瞬間コイル１２には誘導電流が流れ終端の発光ダイオードが点灯する。その後、移動板が移動し吸引マグネットが遠ざかり、両マグネットの吸引力が低下し、吸引力より引っ張りバネの収縮力が勝ると、発電マグネットは瞬時にコイル内を移動し、この瞬間コイルには逆向きの誘導電流が流れ終端の発光ダイオードが再点灯する。
【０１０８】
図１０（Ｂ）においては、吸引マグネットと発電マグネットを互いに吸引しあう極性にしているが、両極を反発しあう極性にし、更に引っ張りバネの代わりに圧縮バネ３７を利用して動作させても同様に発電マグネットを瞬時に移動させ発電を行なうことが出来る。又、移動板５６を固定板５７に対し交差する方向へ移動しているが、実施例１同様、固定板の物体位置表示器に対し吸引マグネットを直線方向へ移動させ、発電マグネットを動作させても良い。
【０１０９】
実施例１で説明したように本発電方法で物体位置表示器を形成した場合、ワイヤー５の先の接続部材１７の形状を変化させ、又はワイヤーの先へ取り付ける物体を変化させることにより図５の杖の表示や図８の水面付近の表示に利用できる為、物体位置表示器５５のワイヤー５の先に、落下傘のような傘を取り付け、風を利用して発電マグネット２０を移動させて発電することもできる。（図示せず）
【０１１０】
又、ケーブルクリップ２の代わりに吸盤を使用し、その吸盤をスキー板の後ろへ貼り付け、ワイヤーの先におもり又はボール等を取り付けておくと、スキー板の移動時に板と雪や地面とのぶつかった摩擦や負荷、衝撃等によりワイヤーが伸縮して発電マグネット２０を移動させ、発光ダイオードを点灯させることができ、それを取り付けた後方よりその位置を確認することができる。（図示せず）
【０１１１】
このように、本発電方法を利用すると、物体位置表示器５５をリード８等に取り付けペットの位置を表示するだけでなく、ケーブルクリップ２やクリップ７、ワイヤー５の先等を変えることによりその応用範囲は広がり、外部エネルギーを利用していろいろな物の存在を外部に知らせることができるようになる。
【符号の説明】
【０１１２】
１    上カバー
２    ケーブルクリップ
３    発光ダイオード（ＬＥＤ）
４    外パイプ
５    ワイヤー
６    下カバー
７    クリップ
８    リード
９    抵抗
１０    電線
１１    ブリッジダイオード
１２    コイル
１３    ボビン
１４    内パイプ
１５    クッション
１６    蓋
１７    接続部材
１８    吸引マグネット
１９    クッション
２０    発電マグネット
２１    引っ張りバネ
２２    ネジ
２３    ナット
２４    閉塞板
２５    クッション
２６    ネジ
２７    ナット
２８    ネジ蓋
２９    外パイプ
３０    杖
３１    ソケット
３２    地面
３３    右内パイプ
３４    おもり
３５    左内パイプ
３６    右内パイプ
３７    圧縮バネ
３８    内パイプ
３９    フロート
４０    接続部材
４１    内パイプ
４２    水面
４３    フロート  
４４    プラグ
４５    フック
４６    チェーン
４７    オスマジックテープ
４８    メスマジックテープ
４９    内パイプ
５０    固定マグネット
５１    移動マグネット
５２    ストッパー
５３    ネジ蓋
５４    カールコード
５５    物体位置表示器
５６    移動板
５７    固定板
【図１】
2014155363.tif 000003
【図２】
2014155363.tif 000004
【図３】
2014155363.tif 000005
【図４】
2014155363.tif 000006
【図５】
2014155363.tif 000007
【図６】
2014155363.tif 000008
【図７】
2014155363.tif 000009
【図８】
2014155363.tif 000010
【図９】
2014155363.tif 000011
【図１０】
2014155363.tif 000012